(57)【要約】      （修正有）【課題】まな板などをまるごと漬け置くための形状から、コップなど高さのあるものを漬け置く形状に用途に応じ形を変え、折りたたむことが出来る防水性の組立容器を提供する。【解決手段】容器として組み立て、４隅を係止するための方法として、着脱自在な、クリップ、磁石、面ファスナー、防▲錆▼性スナップなどを用いる。容器の形状を例えば２通りに自在に変えるには、面ファスナーなどの場合は、係止位置にオス１か所、メス２か所のテープを貼付ける。スナップの場合は、各隅の両辺が三角折りに合わさった片側にスナップのメスを留付、もう片側は両辺を重ねあわせたときスナップ機能が働くための穴を設け、スナップオスを２か所に留付することにより、組み立てた容器の形状を変え固定出来る。また使用後の水処理も１か所脱着することで排水が可能となるため水処理も簡単に行える。【選択図】図３
0003183854.tif 000002
【実用新案登録請求の範囲】
【請求項１】
本体表面は、徐放性銀イオン含有粉体含浸フィルム素材により覆われ構成されている。用途に応じ幾通りにも形を変えることが出来る、防水性の折りたたみが出来る容器になるシートである。
【請求項２】
本体は、表裏のフィルムにより２重に重ねられ、全周及び、折り曲げ部に亘って圧着加工を施しフィルム素材内側の装飾部材の、防水効果、及び、折曲げ強度を備える、折りたたみが出来る容器になるシートである。
【請求項３】
容器として組み立て、幾通りにも形状を変えるため、４隅を係止するための方法として、本体に切り込みを入れ差し込む、または、着脱自在な、例えばクリップ、磁石、マジックテープ、防▲錆▼性スナップなどを用いる。
【請求項４】
本体は、表裏ともに、印字可能であり、オリジナルのデザインを挿入することも出来る。
【考案の詳細な説明】
【技術分野】
【０００１】  本考案は、特にまな板、食器などの、衛生管理に関するものである。
本考案は、まな板などをまるごと漬け置くための形状から、コップなど高さのあるものを漬け置く形状に用途に応じ形を変え、折りたたむことが出来る防水性の容器になるシートを提供する。使用後はシート状になりコンパクトに収納できる。
【背景技術】
【０００２】従来、まな板の除菌は、シンクに水をため除菌する。また、洗い桶に入れ、布巾などをかけ毛細管現象を利用し桶に入りきれない部分を除菌する。または、除菌スプレーを拭きかける。【０００３】しかしながら、このような従来の除菌法は、シンクに水をためて除菌している間は利用できない。洗い桶に入りきれなかった部分の除菌が十分できない。除菌スプレーを拭きかけても、その場所しか除菌されず、裏面や、側面のヌルつきが取れなかったりする。【０００４】そこで、このような従来のまな板などの除菌の問題点を解決するため、まな板を丸ごと除菌する容器が考案されている。
【先行技術文献】
【特許文献】
【０００５】
【特許文献１】意匠登録第１１００７０９号
【考案の概要】
【考案が解決しようとする課題】
【０００６】しかしながら、特開文献１のまな板洗浄器を用いた場合、除菌は出来るが、使用後の水処理が困難である。未使用時に場所をとる。【０００７】本考案は、上述した事情に鑑みてなされたものであり、まな板を丸ごと除菌できる形状を設け、また、コップなど高さのあるものを漬け置くなど、用途に応じ形を変え、折りたたむことが出来る防水性の容器を提供する。使用後はシート状になり衛生的でコンパクトに収納できる折りたたみの容器になるシートを提供することを解決課題とする。
【課題を解決するための手段】
【０００８】以上の課題を解決するため、本考案に係る自在シートは、用途に応じ形を変え、折りたたむことが出来ることを特徴とする。未使用時は折りたたみコンパクトに収納する機能を備える。【０００９】また、本考案に係る自在シートは、徐放性銀イオン含有粉体含浸のフィルムで形成する。
【考案の効果】
【００１０】まな板を丸ごと除菌するだけではなく、用途に応じ深さを変えることで、コップなどの漬け置きにも使え、また粉ものなどを調理する時、野菜などを浸しておくなど、アイデア次第で用途は広がる。また、使用時の機能美も備えている。アウトドアなどでの利用にも、コンパクトに畳めるため便利である。
【図面の簡単な説明】
【００１１】
【図１】本考案を示す正面図である。
【図２】本自在シートを組み立てた図である。
【考案を実施するための形態】
【００１２】以下、この考案の好適な実施形態を、添付図面等を参照しながら詳細に説明する。ただし、各図において、各部の寸法及び尺度は、実際のものと適宜に異ならせてある。また、以下に述べる実施の形態は、本考案の好適な具体例であるから、技術的に好ましい種々の限定が付されているが、本考案の範囲は、以下の説明において特に本考案を限定する旨の記載がない限り、これらの形態に限られるものではない。
【実施例】
【００１３】本考案によれば、シート本体表面は、徐放性銀イオン含有粉体含浸フィルム素材により構成されている。本体は、表裏が２重に重ねられ、全周及び、折り曲げ部に亘って圧着加工を施し防水効果と、折曲げ強度を備える。
本体のほぼ全面内部に水圧等による容器の形成を保持するため、硬質な芯素材例えば、ＰＰなどで形成し強度を図る。容器として組み立て、４隅を係止するための方法として、着脱自在なクリップや、例えばマジックテープ、防▲錆▼性スナップ、磁石などを用いる。容器の形状を例えば２通りに自在に変えるには、マジックテープなどの場合は、係止位置にオス１か所、メス２か所のテープを貼付ける。スナップの場合は、各隅の両辺が三角折りに合わさった片側にスナップのメスを留付、もう片側は両辺を重ねあわせたときスナップ機能が働くための穴を設け、スナップオスを２か所に留付することにより、組み立てた容器の形状を変え固定することが出来る。磁石を用いる場合もスナップと同じく各位置に留付する。また使用後の水処理も１か所脱着することにより排水が可能となるため水処理も簡単に行える。
【産業上の利用可能性】
【００１４】従来の洗浄器は、除菌は出来るが、使用後の水処理が困難である。未使用時に場所をとる。本考案の、自在シート・こまめちゃんは、まな板を丸ごと除菌できる形状を設け、また、コップなど高さのあるものを漬け置くなど、用途に応じ形を変えることが出来る防水性の折りたたみの容器になるシートを提供する。使用後はシート状になり衛生的でコンパクトに収納できる。大きさに制限はなく、畳むラインを増やすことにより幾通りにも形を変えることが可能。本体は、表裏ともに、印字可能であり、オリジナルのデザインを挿入することも出来る。キッチンだけではなく、屋外（取り外し可能な持ち手となるベルトを取り付けることにより持ち運びが便利になる。）また、ペット用などにも活用できる。
【符号の説明】
【００１５】１…自在シート、２…折りたたみ線、３…係止め部、４…スナップメス、５…スナップオス、６…スナップ通り穴
【図１】
0003183854.tif 000003
【図２】
0003183854.tif 000004
【手続補正書】
【提出日】平成25年3月7日(2013.3.7)
【手続補正１】
【補正対象書類名】実用新案登録請求の範囲
【補正対象項目名】全文
【補正方法】変更
【補正の内容】
【実用新案登録請求の範囲】
【請求項１】
薄肉部からなる折り曲げ用溝部と平板部を形成してなる展開した時に多角形板状部材から構成され、前記溝部は、前記多角形状部材の各辺と並行して多角形状に形成される溝部と前記多角形状溝部の各頂点からその近傍の２つの辺に対してそれぞれ直行する方向に形成される第二の溝部と、前記多角形状溝部の各頂点から前記多角形状溝部材の頂部に向けて形成される第三の溝部とから構成され前記多角形状溝部を折り目として該山折された角部は容器外壁に開放自在に固定されることを特徴とする組立容器。
【請求項２】
多角形状部材の構成は表層材と中間挿入材からなり、前記挿入材は耐水性のある剛体で構成されることを特徴とする請求項１記載の組立容器。
【請求項３】
該角部の固定は例えば面ファスナー、スナップなどにより構成されることを特徴とする請求項１記載の組立容器。
【請求項４】
請求項１記載の前記多角形状部材の前記第二の溝部、前記第三の溝部の構成を複数設けることにより、容器の形状を変えることが可能となることを特徴とする請求項１記載の組立容器。
【手続補正３】
【補正対象書類名】明細書
【補正対象項目名】０００７
【補正方法】変更
【補正の内容】
【０００７】  本考案は、上述した事情に鑑みてなされたものであり、まな板を丸ごと除菌できる形状を設け、またコップなど高さのあるものを漬け置くなど、用途に応じ形を変え、折りたたむことが出来る防水性の容器を提供する。使用後はシート状になり衛生的でコンパクトに収納できる、たためる洗い桶を提供することを解決課題とする。
【手続補正４】
【補正対象書類名】明細書
【補正対象項目名】０００８
【補正方法】変更
【補正の内容】
【０００８】以上の課題を解決するため、本考案に係る組立容器は、用途に応じ形を変え、折りたたむことが出来、未使用時はコンパクトに収納する機能を備える。
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】変更
【補正の内容】
【００１１】
【図１】本考案を示す正面図である。
【図２】本組立容器を組み立てた図である。
【図３】本組立容器を折り曲げ溝を組み替えて組み立てた図である。
【手続補正７】
【補正対象書類名】明細書
【補正対象項目名】００１３
【補正方法】変更
【補正の内容】
【００１３】本考案によれば、図１に示すように、薄肉部からなる折り曲げ用溝部２と平板部を形成してなる展開した時に多角形板状部材から構成され、前記溝部は、前記多角形状部材の各辺と並行して多角形状に形成される溝部と前記多角形状溝部の各頂点からその近傍の２つの辺に対してそれぞれ直行する方向に形成される第二の溝部２と、前記多角形状溝部の各頂点から前記多角形状溝部材の頂部に向けて形成される第三の溝部３とから構成され前記多角形状溝部を折り目として該山折された角部４は容器外壁に開放自在に固定されることを特徴とする組立容器。
【手続補正８】
【補正対象書類名】明細書
【補正対象項目名】００１４
【補正方法】変更
【補正の内容】
【００１４】      従来の洗浄器は、除菌は出来るが、使用後の水処理が困難である。未使用時に場所をとる。本考案の、たためる洗い桶は、まな板を丸ごと除菌できる形状を設け、また、コップなど高さのあるものを漬け置くなど、用途に応じ形を変えることが出来る防水性の折りたたみの容器を提供する。使用後はシート状になり衛生的でコンパクトに収納できる。大きさに制限はなく、畳むラインを増やすことにより幾通りにも形を変えることが可能。本体は、表裏ともに、印字可能であり、オリジナルのデザインを挿入することも出来る。キッチンだけではなく、屋外（取り外し可能な持ち手となるベルトを取り付けることにより持ち運びが便利になる。）また、ペット用などにも活用できる。
【手続補正９】
【補正対象書類名】明細書
【補正対象項目名】００１５
【補正方法】変更
【補正の内容】
【００１５】１…組立容器、２…溝部、３…溝部、４…該山折された角部、５…固定手段
【手続補正１０】
【補正対象書類名】図面
【補正対象項目名】全図
【補正方法】変更
【補正の内容】
【図１】
0003183854.tif 000005
【図２】
0003183854.tif 000006
【図３】
0003183854.tif 000007